(57)【要約】【課題】耐久性の向上を図ることができる農作業機を提供する。【解決手段】農作業機１は、トラクタ２の後部の３点リンク10に連結し、ＰＴＯ７からの動力に基づいて農作業をする。農作業機１は、トラクタ２のトラクタ制御部８と通信する制御部71を備える。この制御部71は、トラクタ制御部８からシリンダ作動信号を受信すると、ＰＴＯ７が停止しているか否かを判断し、停止していなければ、ＰＴＯ停止信号をトラクタ制御部８へ送信する。【選択図】図１
2020080786.tif 000002
【特許請求の範囲】
【請求項１】
走行車制御部及び動力取出部を備える走行車に連結され、前記動力取出部からの動力に基づいて農作業をする農作業機であって、
所定の信号を受信すると、前記動力取出部が停止しているか否かを判断し、前記動力取出部が停止していないと判断した場合には、前記動力取出部を停止させるための動力取出部停止信号を前記走行車制御部に送信する制御部を備える
ことを特徴とする農作業機。
【請求項２】
走行車制御部及び動力取出部を備える走行車に連結され、前記動力取出部からの動力に基づいて農作業をする農作業機であって、
前記走行車制御部に電気的に接続される制御部と、
この制御部によって制御される駆動部とを備え、
前記制御部は、
前記駆動部を作動させるための駆動部作動信号を受信すると、前記動力取出部が停止しているか否かを判断し、
前記動力取出部が停止していないと判断した場合には、前記動力取出部を停止させるための動力取出部停止信号を前記走行車制御部に送信し、
前記動力取出部が停止していると判断した場合には、前記駆動部作動信号に基づいて前記駆動部を作動させる
ことを特徴とする農作業機。
【請求項３】
走行車制御部には、操作部が電気的に接続され、
制御部は、前記操作部の操作に基づいて駆動部作動信号を受信する
ことを特徴とする請求項２記載の農作業機。
【請求項４】
制御部には、操作部が電気的に接続され、
前記制御部は、前記操作部の操作に基づいて駆動部作動信号を受信する
ことを特徴とする請求項２記載の農作業機。
【請求項５】
操作部は、表示部を兼ねたもので、駆動部を作動させる際に操作する駆動部用表示を表示し、
制御部は、前記駆動部用表示の操作に基づいて駆動部作動信号を受信する
ことを特徴とする請求項３又は４記載の農作業機。
【請求項６】
制御部は、走行車制御部からの情報又は検知部からの情報に基づいて、動力取出部が停止しているか否かを判断する
ことを特徴とする請求項１ないし５のいずれか一記載の農作業機。
【請求項７】
走行車制御部及び動力取出部を備える走行車と、
この走行車に連結され、前記動力取出部からの動力に基づいて農作業をする請求項１ないし６のいずれか一記載の農作業機とを具備し、
前記走行車の前記走行車制御部は、
前記農作業機の制御部からの動力取出部停止信号を受信すると、前記動力取出部を停止させる、又は、作業者に対して前記動力取出部の停止指示を出す
ことを特徴とする農作業システム。
【発明の詳細な説明】
【技術分野】
【０００１】
本発明は、耐久性の向上を図ることができる農作業機及び農作業システムに関するものである。
【背景技術】
【０００２】
従来、例えば下記の特許文献１に記載された農作業機が知られている。
【０００３】
この従来の農作業機は、３分割の折畳式農作業機で、走行車であるトラクタの後部に連結される中央作業部と、この中央作業部に上下方向に回動可能に設けられ、回動により展開作業状態及び折畳非作業状態になる左右の延長作業部とを備えている。中央作業部は、左右方向両端側に中央側クラッチを有し、また、延長作業部は、展開作業状態時には中央側クラッチと係合し、折畳非作業状態時にはその係合を解除する延長側クラッチを有している。
【先行技術文献】
【特許文献】
【０００４】
【特許文献１】特開２００３−３０４７０３号公報
【発明の概要】
【発明が解決しようとする課題】
【０００５】
しかしながら、上記従来の農作業機では、例えばトラクタのＰＴＯ（動力取出部）を停止させずに、延長作業部を回動させると、例えばクラッチ等の部品が破損するおそれがあり、耐久性が良好であるとは言い難い。
【０００６】
本発明は、このような点に鑑みなされたもので、耐久性の向上を図ることができる農作業機及び農作業システムを提供することを目的とする。
【課題を解決するための手段】
【０００７】
請求項１記載の農作業機は、走行車制御部及び動力取出部を備える走行車に連結され、前記動力取出部からの動力に基づいて農作業をする農作業機であって、所定の信号を受信すると、前記動力取出部が停止しているか否かを判断し、前記動力取出部が停止していないと判断した場合には、前記動力取出部を停止させるための動力取出部停止信号を前記走行車制御部に送信する制御部を備えるものである。
【０００８】
請求項２記載の農作業機は、走行車制御部及び動力取出部を備える走行車に連結され、前記動力取出部からの動力に基づいて農作業をする農作業機であって、前記走行車制御部に電気的に接続される制御部と、この制御部によって制御される駆動部とを備え、前記制御部は、前記駆動部を作動させるための駆動部作動信号を受信すると、前記動力取出部が停止しているか否かを判断し、前記動力取出部が停止していないと判断した場合には、前記動力取出部を停止させるための動力取出部停止信号を前記走行車制御部に送信し、前記動力取出部が停止していると判断した場合には、前記駆動部作動信号に基づいて前記駆動部を作動させるものである。
【０００９】
請求項３記載の農作業機は、請求項２記載の農作業機において、走行車制御部には、操作部が電気的に接続され、制御部は、前記操作部の操作に基づいて駆動部作動信号を受信するものである。
【００１０】
請求項４記載の農作業機は、請求項２記載の農作業機において、制御部には、操作部が電気的に接続され、前記制御部は、前記操作部の操作に基づいて駆動部作動信号を受信するものである。
【００１１】
請求項５記載の農作業機は、請求項３又は４記載の農作業機において、操作部は、表示部を兼ねたもので、駆動部を作動させる際に操作する駆動部用表示を表示し、制御部は、前記駆動部用表示の操作に基づいて駆動部作動信号を受信するものである。
【００１２】
請求項６記載の農作業機は、請求項１ないし５のいずれか一記載の農作業機において、制御部は、走行車制御部からの情報又は検知部からの情報に基づいて、動力取出部が停止しているか否かを判断するものである。
【００１３】
請求項７記載の農作業システムは、走行車制御部及び動力取出部を備える走行車と、この走行車に連結され、前記動力取出部からの動力に基づいて農作業をする請求項１ないし６のいずれか一記載の農作業機とを具備し、前記走行車の前記走行車制御部は、前記農作業機の制御部からの動力取出部停止信号を受信すると、前記動力取出部を停止させる、又は、作業者に対して前記動力取出部の停止指示を出すものである。
【発明の効果】
【００１４】
本発明によれば、耐久性の向上を図ることができる。
【図面の簡単な説明】
【００１５】
【図１】本発明の第１の実施の形態に係る農作業機（代掻機）及びトラクタを具備する農作業システムの構成図である。
【図２】同上農作業システムの構成を示すブロック図である。
【図３】同上農作業機の背面図である。
【図４】同上農作業機の側面図である。
【図５】同上トラクタのタッチパネル式モニタに表示された操作用画面の一例を示す図である。
【図６】同上農作業機の制御部のフローチャートである。
【図７】同上農作業システムの変形例を示すブロック図である。
【図８】本発明の第２の実施の形態に係る農作業システムの構成図である。
【発明を実施するための形態】
【００１６】
本発明の第１の実施の形態の農作業システムについて図１ないし図７を参照して説明する。
【００１７】
図１ないし図４において、１は農作業機で、この農作業機１は、圃場を走行可能な走行車であるトラクタ２に連結されて使用される３分割の折畳式の代掻機（折畳式作業機）である。そして、これら農作業機１とトラクタ２とによって、圃場を走行しながら農作業を行う農作業システムＳが構成されている。
【００１８】
トラクタ２は、エンジン（駆動源）３及び変速機４等を有するトラクタ本体５を備え、このトラクタ本体５には、エンジン３からの動力に基づいて回転する車輪（前輪、後輪）６が設けられている。トラクタ本体５の後部には、エンジン３からの動力に基づいて回転（作動）する軸状の動力取出部であるＰＴＯ（ＰＴＯ軸）７が設けられている。
【００１９】
また、トラクタ２は、エンジン３、変速機４及びＰＴＯ７等を含む制御対象を制御する走行車制御部であるトラクタ制御部８を備えている。トラクタ制御部８には、表示部を兼ねた操作部であるタッチパネル式モニタ（表示操作部）９が有線（無線でもよい）で電気的に接続されている。タッチパネル式モニタ９は、トラクタ２の運転席付近に配置され、運転席に乗った作業者によってタッチ操作される。
【００２０】
農作業機１は、トラクタ２の後部の３点リンク10に連結され、トラクタ２の走行により前方（進行方向）に移動しながら、トラクタ２のＰＴＯ７からの動力（回転動力）に基づいて農作業（代掻作業）をするものである。
【００２１】
この農作業機１は、３分割構造のもので、トラクタ２の３点リンク10に脱着可能に連結された中央作業部11と、この中央作業部11に回動中心軸13を中心として上下方向に回動可能に設けられ、回動により展開作業状態（開状態）及び折畳非作業状態（閉状態）になる左右の延長作業部（左作業部、右作業部）12とを備えている。
【００２２】
また、農作業機１は、延長作業部12を中央作業部11に対して回動中心軸13を中心として回動させる左右の駆動部である作業部回動用シリンダ15を備えている。２本の各作業部回動用シリンダ（開閉用シリンダ）15は、例えば電動油圧シリンダである。なお、延長作業部12を回動させる駆動部は、シリンダには限定されず、モータ等を用いてもよい。
【００２３】
そして、延長作業部12は、作業部回動用シリンダ15の伸び動作に基づく開方向への回動により、中央作業部11の側方に位置する展開作業状態となる。また、延長作業部12は、作業部回動用シリンダ15の縮み動作に基づく閉方向への回動により、中央作業部11の上方に位置する折畳非作業状態となる。
【００２４】
このため、農作業機１は、中央作業部11と左右両方の延長作業部12とで農作業を行う状態と、中央作業部11と左右いずれか一方の延長作業部12とで農作業を行う状態と、中央作業部11のみで農作業を行う状態とに選択的に切換可能となっている。
【００２５】
中央作業部11は、トラクタ２の３点リンク10に脱着可能に連結された中央機体21と、この中央機体21に回転可能に設けられ、所定方向に回転しながら耕耘作業をする中央耕耘体22と、この中央耕耘体22の後方で整地作業をする中央整地体23とを有している。
【００２６】
中央機体21は、左右方向中央部にミッションケース等の軸支持部25を有し、この軸支持部25によって入力軸26が回転可能に支持されている。入力軸26は、連結手段であるジョイント27を介してトラクタ２のＰＴＯ７に連結されている。中央機体21は、中央耕耘体22の上方を覆う耕耘カバー部28を有し、この耕耘カバー部28の後端部には中央整地体23が上下方向に回動可能に設けられている。
【００２７】
中央耕耘体22は、中央機体21の軸支持部（チェーンケース、ブラケット）30によって回転可能に支持された耕耘軸31を有し、この耕耘軸31には複数の耕耘爪（代掻爪）32が設けられている。耕耘軸31の軸方向の両端部には、中央側クラッチ33がそれぞれ設けられている。
【００２８】
そして、中央耕耘体22の回転軸である耕耘軸31は、ＰＴＯ７からの動力を伝達する動力伝達部34から動力を受けて回転する。動力伝達部34は、例えばジョイント27、入力軸26、ギア、伝動軸及びチェーン等を有している。
【００２９】
中央整地体23は、耕耘カバー部28の後端部に回動可能に設けられた板状の第１整地体（均平板）36を有し、この第１整地体（均平板）36の下端部には板状の第２整地体（レーキ）37が回動可能に設けられている。
【００３０】
延長作業部12は、中央作業部11の中央機体21の端部に回動中心軸13を中心として上下方向に回動可能に設けられた延長機体41と、この延長機体41に回転可能に設けられ、所定方向に回転しながら耕耘作業をする延長耕耘体42と、この延長耕耘体42の後方で整地作業をする延長整地体43とを有している。
【００３１】
延長機体41は、延長耕耘体42の上方を覆う耕耘カバー部45を有し、この耕耘カバー部45の後端部には延長整地体43が上下方向に回動可能に設けられている。
【００３２】
延長耕耘体42は、延長機体41の軸支持部（ブラケット）50によって回転可能に支持された耕耘軸51を有し、この耕耘軸51には複数の耕耘爪（代掻爪）52が設けられている。耕耘軸51の内端部には、延長作業部12の展開作業状態時には中央耕耘体22の中央側クラッチ33と係合し、延長作業部12の折畳非作業状態時にはその係合を解除する延長側クラッチ53が設けられている。
【００３３】
そして、延長耕耘体42の回転軸である耕耘軸51は、延長作業部12の展開作業状態時には両クラッチ33，53を介して中央作業部11から動力を受けて所定方向へ回転するが、延長作業部12の折畳非作業状態時には両クラッチ33，53の係合解除により動力伝達が遮断されるため、その折畳非作業状態では回転しない。
【００３４】
なお、中央耕耘体22と延長耕耘体42とで回転作業部（耕耘部）16が構成されている。また、動力伝達部34と回転作業部16とによって、トラクタ２のＰＴＯ７に連動して回転する連動手段17が構成されている。
【００３５】
延長整地体43は、耕耘カバー部45の後端部に回動可能に設けられた板状の第１整地体（均平板）56を有し、この第１整地体（均平板）56の下端部には板状の第２整地体（レーキ）57が回動可能に設けられている。
【００３６】
また、第２整地体57の外端部には、板状の追加整地体であるサイドレーキ58が上下方向に回動可能に設けられている。そして、サイドレーキ58は、回動装置61のサイドレーキ回動用モータ62の作動に基づく開方向への回動により、延長整地体43の第２整地体57の側方に位置する展開作業状態（開状態）となる。また、サイドレーキ58は、回動装置61のサイドレーキ回動用モータ62の作動に基づく閉方向への回動により、延長整地体43の第２整地体57の上方に位置する折畳非作業状態（閉状態）となる。
【００３７】
左右の各回動装置61は、延長機体41に固定したケース63内に収納された駆動手段であるサイドレーキ回動用モータ（電動モータ）62を有し、このモータ62の作動に基づいてサイドレーキ58が回動してその状態が切り換わる。
【００３８】
さらに、第２整地体57の内端部には、延長作業部12の展開作業状態時には中央整地体23の中央側嵌合部66と嵌合し、延長作業部12の折畳非作業状態時にはその嵌合を解除する延長側嵌合部67が設けられている。
【００３９】
また、農作業機１は、中央整地体23及び延長整地体43を耕耘整地作業状態である代掻作業状態（フリー状態）及び土引作業状態（ロック状態）に選択的に切換可能な切換装置68を備えている。そして、切換装置68は、駆動手段である作業状態切換用モータ（電動モータ）69を有し、このモータ69の作動に基づいて整地体23，43の作業状態が切り換わる。なお、この切換装置68は、中央作業部11に設けられている。
【００４０】
さらに、農作業機１は、各シリンダ15及び各モータ62，69を制御する制御部（農作業機制御部）71を備えている。つまり、この制御部71は、複数、例えば５つのアクチュエータ（シリンダ15、モータ62，69）等を制御するものであり、中央機体21のトップマスト70に取り付けられている。
【００４１】
そして、この制御部71には、トラクタ２のトラクタ制御部８が例えば有線で電気的に接続されている。つまり、図１に示すように、トラクタ２のトラクタ制御部（トラクタ側コントローラ）８からの配線72と、農作業機１の制御部（作業機側コントローラ）からの配線73とが、接続コネクタ74を介して接続されている。
【００４２】
接続コネクタ６は、例えばＡＧ−ＰＯＲＴ規格のコネクタであり、これにより、トラクタ制御部８と制御部71との間で双方向に通信可能となっている。換言すると、農作業機１の制御部71は、トラクタ２のトラクタ制御部８と通信するものであり、当該トラクタ制御部８との間で信号や情報のやりとりを行う。それゆえ、例えばトラクタ２の運転席に乗った作業者は、トラクタ２のタッチパネル式モニタ９に表示された操作用画面を操作して農作業機１を遠隔操作することが可能である。なお、トラクタ２のトラクタ制御部８と農作業機１の制御部71との接続は、有線（ＡＧ−ＰＯＲＴ等）には限定されず、無線でもよい。
【００４３】
ここで、図５は、トラクタ２のタッチパネル式モニタ（タッチパネル部）９に表示された操作用画面（農作業機操作用の画面）の一例である。
【００４４】
この操作用画面は、農作業機１の状態等を表示する表示部分80を左側に有し、かつ、トラクタ２の運転席に乗った作業者が指先でタッチ操作可能な操作部分である複数、例えば１０個のボタン81〜90、すなわち開ボタン81、閉ボタン82、左選択ボタン83、右選択ボタン84、左サイドレーキ開ボタン85、左サイドレーキ閉ボタン86、右サイドレーキ開ボタン87、右サイドレーキ閉ボタン88、代掻ボタン89及び土引ボタン90を右側に有している。
【００４５】
なお、これら複数のボタン81〜90のうち、例えば２つのボタン（延長作業部開閉スイッチ）81，82によって、作業部回動用シリンダ（駆動部）15を作動させる際に操作する駆動部用表示91が構成されている。
【００４６】
開ボタン（駆動部用操作部分）81は、左右の両延長作業部12を同時に展開作業状態にするためのボタンである。但し、左選択ボタン83又は右選択ボタン84により、左右のいずれか一方が選択されている場合には、その選択された側のみが開く。また、閉ボタン（駆動部用操作部分）82は、左右の両延長作業部12を同時に折畳非作業状態にするためのボタンである。但し、左選択ボタン83又は右選択ボタン84により、左右のいずれか一方が選択されている場合には、その選択された側のみが閉じる。
【００４７】
そして、開ボタン81が操作された場合、又は閉ボタン82が操作された場合には、制御部71は、その操作に基づいて、トラクタ制御部８から送られてくる、作業部回動用シリンダ15を作動させるための駆動部作動信号であるシリンダ作動信号（所定の信号）を受信する。
【００４８】
左選択ボタン83は、左右の両延長作業部12のうち左側の延長作業部12のみを回動させる際に、当該左側の延長作業部12を選択するためのボタンである。この左選択ボタン83は、そのボタン自体がオン状態では点灯し、オフ状態では消灯する。また、右選択ボタン84は、左右の両延長作業部12のうち右側の延長作業部12のみを回動させる際に、当該右側の延長作業部12を選択するためのボタンである。この右選択ボタン84は、そのボタン自体がオン状態では点灯し、オフ状態では消灯する。
【００４９】
左サイドレーキ開ボタン85は、左側のサイドレーキ58を展開作業状態にするためのボタンである。左サイドレーキ閉ボタン86は、左側のサイドレーキ58を折畳非作業状態にするためのボタンである。右サイドレーキ開ボタン87は、右側のサイドレーキ58を展開作業状態にするためのボタンである。右サイドレーキ閉ボタン88は、右側のサイドレーキ58を折畳非作業状態にするためのボタンである。代掻ボタン89は、整地体を代掻作業状態にするためのボタンである。土引ボタン90は、整地体を土引作業状態にするためのボタンである。
【００５０】
なお、図５に図示した画面は、代掻機に対応するものであるが、例えばトラクタ２に畦塗り機を連結した際にはその畦塗り機に対応する画面が表示される。つまり、トラクタ２のタッチパネル式モニタ９には、トラクタ２に連結する農作業機１の各種類に対応する画面が表示される。
【００５１】
次に、上記農作業システムＳの作用等を説明する。
【００５２】
図６に示すように、農作業機１の制御部71は、トラクタ２のタッチパネル式モニタ９に表示された操作用画面中の駆動部用表示（開ボタン81、閉ボタン82）91の操作に基づいて、トラクタ制御部８からのシリンダ作動信号（駆動部の作動指令信号）を受信する（ステップ１）。
【００５３】
すると、制御部71は、トラクタ制御部８からの情報、すなわちＰＴＯ７の状態に関するＰＴＯ情報（例えばＰＴＯの回転数信号、ＰＴＯ停止完了信号等）に基づいて、ＰＴＯ７が停止しているか否かを判断する（ステップ２）。
【００５４】
そして、制御部71は、ＰＴＯ７が停止していないと判断した場合には、ＰＴＯ７を停止させるための動力取出部停止信号であるＰＴＯ停止信号をトラクタ制御部８に送信する（ステップ３）。トラクタ２のトラクタ制御部８は、農作業機１の制御部71からのＰＴＯ停止信号を受信すると、回転しているＰＴＯ７を自動停止させる。
【００５５】
また、制御部71は、ＰＴＯ７が停止していると判断した場合には、シリンダ作動信号に基づいて作業部回動用シリンダ15を作動させる（ステップ４）。その結果、ＰＴＯ７、動力伝達部34及び回転作業部16が回転を停止した状態で、延長作業部12が中央作業部11に対して回動して所望の状態となる。
【００５６】
具体的には、例えば閉ボタン82が操作された場合は、左右の両延長作業部12が中央作業部11に対して閉方向に回動して折畳非作業状態となり、例えばこの状態で代掻作業を開始する際には、作業者は、ＰＴＯ７の作動操作（ＰＴＯ作動スイッチのオン操作等）を行う。なお、ＰＴＯ作動スイッチとして機能するボタンをタッチパネル式モニタ９に表示させてもよい。
【００５７】
そして、このような農作業システムＳによれば、ＰＴＯ７、動力伝達部34及び回転作業部16が完全に停止している場合にのみ、駆動部作動信号に基づいて駆動部（２つのシリンダ15，15のうちの少なくともいずれか一方）が作動するため、ＰＴＯ７の停止操作をし忘れた場合であっても、クラッチ33，53等の部品が破損する不具合を回避でき、よって、耐久性の向上を図ることができる。
【００５８】
なお、上記第１の実施の形態では、トラクタ制御部８にはタッチパネル式モニタ（表示部を兼ねた操作部）９が有線又は無線で電気的に接続され、かつ、制御部71は、タッチパネル式モニタ９の駆動部用表示（ボタン81，82）の操作に基づいて駆動部作動信号（シリンダ作動信号）を受信してＰＴＯ停止の有無を判断する構成について説明したが、この構成には限定されず、例えば図７に示す構成でもよい。
【００５９】
この図７に示すものは、制御部71には、タッチパネル式モニタ９と同じ操作用画面（例えば図５に示す画面）を表示するタッチパネル式リモコン（表示部を兼ねた操作部）92が有線又は無線で電気的に接続され、かつ、その制御部71は、タッチパネル式リモコン92の駆動部用表示（ボタン81，82）の操作に基づいて駆動部作動信号（シリンダ作動信号）を受信してＰＴＯ停止の有無を判断する構成となっている。タッチパネル式リモコン92は、タッチパネル式モニタ９と同様、トラクタ２の運転席付近に配置され、運転席に乗った作業者によってタッチ操作される。なお、例えばタッチパネル式のモニタ９及びリモコン92の両方を用いるようにしてもよい。
【００６０】
また、例えば図示しないが、農作業機１が、タッチパネル式リモコン92の代わりに、表示部を有しないリモコン（操作部）を備えた構成でもよく、また、トラクタ２が、タッチパネル式モニタ９の代わりに、操作部を有しないモニタ（表示部）を備えた構成等でもよい。さらに、表示部や操作部として、例えば携帯電話等の携帯端末機（スマートフォン、タブレット等）を使用してもよい。
【００６１】
さらに、上記第１の実施の形態では、複数のボタン81〜90のうち、開ボタン81又は閉ボタン82が操作された場合にのみ、制御部71がＰＴＯ停止の有無の判断を行い、それ以外のボタン操作であればＰＴＯ停止の有無の判断を行わない構成について説明したが、この構成には限定されず、例えば複数のボタン81〜90のうち、いずれのボタンが操作された場合であっても、制御部71がＰＴＯ停止の有無を判断するようにしてもよい。
【００６２】
次に、本発明の第２の実施の形態の農作業システムについて図８を参照して説明する。
【００６３】
この図８に示す農作業システムＳの農作業機１は、トラクタ２に連結されて使用される後進作業可能（リターン作業可能）な畦塗り機（オフセット作業機）である。つまり、この農作業機１は、トラクタ２の後部の３点リンク10に連結され、トラクタ２の走行により移動（前進作業時には前方へ移動、後進作業時には後方へ移動）しながら、トラクタ２のＰＴＯ７からの動力（回転動力）に基づいて農作業（畦塗り作業）をするものである。
【００６４】
この農作業機１は、トラクタ２の３点リンク10に脱着可能に連結された機枠101と、この機枠101に連結手段102を介して連結された可動機枠103と、この可動機枠103に設けられ、前進作業状態、格納非作業状態及び後進作業状態になる回転作業部（畦塗り部）104とを備えている。
【００６５】
回転作業部104は、トラクタ２のＰＴＯ７からの動力を伝達する動力伝達部106から動力を受けて回転するもので、例えば所定方向に回転しながら土を盛り上げる盛土体108と、所定方向に回転しながら盛土体108による盛土を締め固めて畦を形成する畦形成体109とを有している。なお、盛土体108は、土を耕耘して盛り上げる複数の耕耘爪108aを有している。畦形成体109は、截頭円錐状の畦側面形成部109aと、円筒状の畦上面形成部109bとを有している。
【００６６】
動力伝達部106は、例えばジョイント27、入力軸26、中間ジョイント100、ギア、中間入力軸、盛土体用伝動軸及び畦形成体用伝動軸等を有している。なお、動力伝達部106と回転作業部104とによって、トラクタ２のＰＴＯ７に連動して回転する連動手段110が構成されている。
【００６７】
また、農作業機１は、回転作業部104を前進作業状態及び格納非作業状態に選択的に切り換えるための駆動部である第１シリンダ111と、回転作業部104を格納非作業状態及び後進作業状態に選択的に切り換えるための駆動部である第２シリンダ112とを備えている。２本の各シリンダ111，112は、例えば電動油圧シリンダである。
【００６８】
さらに、農作業機１は、アクチュエータである各シリンダ111，112を制御する制御部（農作業機制御部）113を備えている。この制御部113には、上述した第１の実施の形態と同様、トラクタ制御部８が有線（無線でもよい）で電気的に接続され、これら両制御部８，113は互いに通信可能となっている。すなわち例えば、トラクタ制御部８からの配線72と、制御部113からの配線73とが、ＡＧ−ＰＯＲＴ規格の接続コネクタ74を介して接続されている。それゆえ、トラクタ２の運転席に乗った作業者は、トラクタ２のタッチパネル式モニタ９に表示された操作用画面を操作して農作業機（畦塗り機）１を遠隔操作することが可能である。
【００６９】
なお、タッチパネル式モニタ９に表示される畦塗り機用の画面は、少なくとも前進ボタン、格納ボタン及び後進ボタンを有しており、これら３つのボタンによって、シリンダ（駆動部）111，112を作動させる際に操作する駆動部用表示が構成されている。
【００７０】
そして、この第２の実施の形態に係る農作業システムＳでも、上述した第１の実施の形態と同様、図６に示すように、農作業機１の制御部113は、トラクタ２のタッチパネル式モニタ９に表示された操作用画面中の駆動部用表示の操作に基づいて、トラクタ制御部８からのシリンダ作動信号を受信する（ステップ１）。
【００７１】
すると、制御部113は、トラクタ制御部８からの情報、すなわちＰＴＯ７の状態に関するＰＴＯ情報に基づいて、ＰＴＯ７が停止しているか否かを判断する（ステップ２）。
【００７２】
そして、制御部113は、ＰＴＯ７が停止していないと判断した場合には、ＰＴＯ７を停止させるためのＰＴＯ停止信号をトラクタ制御部８に送信する（ステップ３）。トラクタ２のトラクタ制御部８は、農作業機１の制御部113からのＰＴＯ停止信号を受信すると、回転しているＰＴＯ７を自動停止させる。
【００７３】
また、制御部113は、ＰＴＯ７が停止していると判断した場合には、シリンダ作動信号に基づいてシリンダ111，112を作動させる（ステップ４）。その結果、ＰＴＯ７、動力伝達部106及び回転作業部104が回転を停止した状態で、回転作業部104が機枠101に対して移動して所望の状態となる。
【００７４】
そして、この第２の実施の形態でも、第１の実施の形態と同様、ＰＴＯ７、動力伝達部106及び回転作業部104が完全に停止している場合にのみ、駆動部作動信号に基づいて駆動部（２つのシリンダ111，112のうちの少なくともいずれか一方）が作動するため、ＰＴＯ７の停止操作をし忘れた場合であっても、中間ジョイント100等の部品が破損する不具合を回避でき、よって、耐久性の向上を図ることができる。
【００７５】
なお、上記第２の実施の形態においても、図７に示す構成の如く、表示部を兼ねた操作部であるタッチパネル式リモコンを用いてもよい。また、タッチパネル式のモニタ及びリモコンの両方を備える構成のほか、農作業機１が表示部を有しないリモコン（操作部）を備えた構成や、トラクタ２が操作部を有しないモニタ（表示部）を備えた構成等でもよい。
【００７６】
また一方、上記第１、第２の実施の形態では、農作業機１の制御部（農作業機側制御部）71，113は、トラクタ制御部８からの情報に基づいて、ＰＴＯが停止しているか否かを判断する構成について説明したが、例えば光学系のセンサ等の検知部からの情報に基づいて、ＰＴＯが停止しているか否かを判断する構成でもよい。
【００７７】
この検知部は、ＰＴＯ（動力取出部）の回転に連動する連動手段17，110の状態を検知するもので、例えば入力軸やギア等の回転を検知する回転検知センサである。例えば図１に示す農作業機（代掻機）１では、検知部は中央機体21の軸支持部25内に設けられ、また、例えば図８に示す農作業機（畦塗り機）１では、検知部は機枠101の軸支持部99内に設けられる。
【００７８】
また、上記第１、第２の実施の形態では、トラクタ２のトラクタ制御部（走行車側制御部）８は、制御部71，113からのＰＴＯ停止信号を受信すると、ＰＴＯを停止させる（自動停止制御する）構成について説明したが、例えば制御部からのＰＴＯ停止信号を受信すると、作業者に対してＰＴＯの停止指示を出す構成、すなわち例えば作業者にＰＴＯの停止操作を促すＰＴＯ停止指示表示をタッチパネル式モニタ９に表示させる構成等でもよい。
【００７９】
このＰＴＯ停止指示表示は、具体的には、例えばトラクタの運転席に乗った作業者にＰＴＯ作動スイッチ等をオフ操作させるためのもので、「ＰＴＯを停止して下さい。」等の表示であり、また、例えばその表示と同時に、ＰＴＯ作動スイッチとして機能するボタンが表示されるようにしてもよい。なお、作業者に対するＰＴＯの停止指示は、例えばタッチパネル式モニタ９のスピーカ部から出力される音声でもよい。
【００８０】
さらに、いずれの実施の形態においても、農作業機は、シリンダやモータ等の駆動部を備える駆動タイプには限定されず、例えば作業者が人力で延長作業部を開閉したり、人力で回転作業部（畦塗り部）の状態を所望状態に切り換えたりする手動タイプでもよい。この手動タイプの場合、例えば作業者が延長作業部や回転作業部の把持部（コ字状のハンドル等）を把持した際に所定の信号が出力され、制御部はその所定の信号を受信すると、動力取出部が停止しているか否かを判断する。
【００８１】
また、農作業システムが具備する農作業機は、代掻機や畦塗り機には限定されず、例えば耕耘機（ロータリー）、草刈機、溝掘機、収穫機等でもよく、また、農作業システムが具備する走行車もトラクタには限定されない。
【００８２】
なお、本発明のいくつかの実施の形態およびその変形例について説明したが、本発明の要旨を逸脱しない範囲で、前記各実施の形態および各変形例を適宜組み合わせることも可能である。
【符号の説明】
【００８３】
Ｓ    農作業システム
１    農作業機
２    走行車であるトラクタ
７    動力取出部であるＰＴＯ
８    走行車制御部であるトラクタ制御部
９    操作部であるタッチパネル式モニタ
15    駆動部である作業部回動用シリンダ
71，113    制御部
91    駆動部用表示
92    操作部であるタッチパネル式リモコン
111    駆動部である第１シリンダ
112    駆動部である第２シリンダ
【図１】
2020080786.tif 000003
【図２】
2020080786.tif 000004
【図３】
2020080786.tif 000005
【図４】
2020080786.tif 000006
【図５】
2020080786.tif 000007
【図６】
2020080786.tif 000008
【図７】
2020080786.tif 000009
【図８】
2020080786.tif 000010